(57)【特許請求の範囲】
【請求項１】
ドーム型に形成された屋根を有する構造体を対象とした送風除雪装置であって、前記構造体の屋根の上面に、該屋根の半径方向外側に向け屋根曲面に対する接線方向に空気を噴射して扇状に拡散する偏平な層流が形成されるよう噴射口を開口した多数のノズルを、前記屋根の上面における略全域を前記層流で網羅し得るよう配設し、前記各ノズルに対し空気送給ラインを介して送風機を接続し、
前記屋根の上面に積雪が生じた際には、積雪表面に空気の流れを形成して該空気と積雪との熱交換により融雪するよう構成したことを特徴とする送風除雪装置。
【請求項２】
空気送給ラインの途中に、送風機から圧送される空気を昇温する為の加熱手段を設けたことを特徴とする請求項１に記載の送風除雪装置。
【請求項３】
ドーム型に形成された屋根を有する構造体を対象とした送風除雪装置であって、前記構造体の屋根の上面に、該屋根の半径方向外側に向け屋根曲面に対する接線方向に空気を噴射して扇状に拡散する偏平な層流が形成されるよう噴射口を開口した多数のノズルを、前記屋根の上面における略全域を前記層流で網羅し得るよう配設し、前記各ノズルに対し空気送給ラインを介して送風機を接続した送風除雪装置の運転方法であって、屋根の上面に積雪が生じた後に送風機を駆動して各ノズルの噴射口から空気を噴射し、積雪表面に空気の流れを形成して該空気と積雪との熱交換により融雪することを特徴とする送風除雪装置の運転方法。
【発明の詳細な説明】
【０００１】
【発明の属する技術分野】
本発明は、低温タンク等のドーム型に形成された屋根を有する構造体に適用する為の送風除雪装置及びその運転方法に関するものである。
【０００２】
【従来の技術】
ＬＮＧ等の低温液化ガスを貯蔵する低温タンクが寒冷地に建設されている場合には、冬期における積雪対策を講じなければならないが、貯蔵液が可燃性であり、しかも、低温に保持しなければならないものであること等を考慮すると、タンク屋根に電熱ヒータ等の加熱手段を設けることは回避しなければならず、従来における一般的な対処策としては、多数の作業者がタンク屋根に登って人力により雪かきをしたり、或いは、タンク屋根に温水を散布して雪を溶かしたりすることが行われていた。
【０００３】
【発明が解決しようとする課題】
しかしながら、多数の作業者による人力で雪かきをする場合、タンク屋根がドーム型に形成されている為に足場が悪く、作業性の悪い高所での作業が長時間に亘って必要となるので、このような雪かき作業を降雪がある度に繰り返すのは、作業員にとって作業負担が大きく、安全面からも好ましくない。
【０００４】
また、タンク屋根に温水を散布して雪を溶かす場合、タンク屋根の積雪を全て溶かし尽くすのには多量の温水が必要となるが、低温タンクの周囲に防災目的で備えられている防液堤内に多量の温水と雪解け水とが溜まってしまう不具合があり、更には、低温タンク自体が冷えている上に外気温度も低くなっているので、散布した温水が直ぐに冷却されて凍結するという不具合があり、特にタンク屋根の外周にある歩楼には巨大なつららが生じて下を通る際に危険となる問題があった。
【０００５】
本発明は上述の実情に鑑みてなしたもので、低温タンク等のドーム型に形成された屋根を有する構造体に対し、人手をかけずに容易且つ安全に積雪問題を解決し、しかも、構造体周囲の作業環境の良好な保全を図り得るようにすることを目的としている。
【０００６】
【課題を解決するための手段】
本発明は、ドーム型に形成された屋根を有する構造体を対象とした送風除雪装置であって、前記構造体の屋根の上面に、該屋根の半径方向外側に向け屋根曲面に対する接線方向に空気を噴射して扇状に拡散する偏平な層流が形成されるよう噴射口を開口した多数のノズルを、前記屋根の上面における略全域を前記層流で網羅し得るよう配設し、前記各ノズルに対し空気送給ラインを介して送風機を接続し、
前記屋根の上面に積雪が生じた際には、積雪表面に空気の流れを形成して該空気と積雪との熱交換により融雪するよう構成したことを特徴とするものである。
【０００７】
【０００８】
【０００９】
このように構成された送風除雪装置を運転するにあたっては、屋根の上面に積雪が生じた後に送風機を駆動して各ノズルの噴射口から空気を噴射し、積雪表面に空気の流れを形成して該空気と積雪との熱交換により融雪することも可能であり、このように運転する場合には、空気送給ラインの途中に、送風機から圧送される空気を昇温する為の加熱手段を設けることが好ましい。
【００１０】
【発明の実施の形態】
以下本発明の実施の形態を図面を参照しつつ説明する。
【００１１】
図１〜図５は本発明を実施する形態の一例を示すもので、図中１はドーム型に形成されたタンク屋根２を有する低温タンク（構造体）であり、前記タンク屋根２の上面には、屋根中心部（屋根頂部）に対し同心状に複数（図示では二つ）の環状配管３が敷設されており、該各環状配管３の略均等な間隔を隔てた複数箇所には、前記タンク屋根２の半径方向外側に向けタンク屋根２の曲面に対する接線方向（図４中の一点鎖線で示す方向）に空気４を噴射して扇状に拡散する偏平な層流が形成されるよう噴射口５（図３参照）を開口した多数のノズル６が配設されており、前記タンク屋根２の上面における略全域を前記層流で網羅し得るようにしてある。
【００１２】
また、前記各環状配管３に対しては、所要場所に配置した送風機７から圧送される空気４を導く送気配管８が接続されており、該送気配管８と前記各環状配管３とにより空気送給ライン９が構成されている。
【００１３】
尚、特に本形態例に例示したように、対象とする構造体が低温タンク１である場合には、防災用設備としてタンク屋根２に散水配管を設置することが義務付けられており、この種の散水配管は、消火目的ではなく、隣接するタンク火災の輻射熱から低温タンク１を保護する目的でタンク屋根２に一様に散水できるように設置されているので、この散水配管を流路切り替え手段により空気送給ライン９として流用することも可能である。
【００１４】
而して、このように構成された送風除雪装置に関し、送風機７を駆動して各ノズル６の噴射口５から空気４を噴射すると、該空気４はタンク屋根２の曲面に沿いながら剥離しないように流れて扇状に拡散する偏平な層流となり、前記タンク屋根２の上面における略全域を網羅する状態となるが、実際にタンク屋根２の積雪問題を解決し得るよう運転するにあたっては、以下に詳述する如き運転方法を採用することが可能である。
【００１５】
【００１６】
【００１７】
運転方法としては、タンク屋根２の上面に積雪１０’が生じた後に送風機７を駆動して各ノズル６の噴射口５から空気４を噴射し、図５に示す如く、積雪１０’表面に空気４の流れを形成して該空気４と積雪１０’との熱交換により融雪するように運転することが可能である。
【００１８】
即ち、既に土木学会第４６回年次学術講演会（平成３年９月）等で発表されて周知となっているように、一般的に融雪量は、日射量に大きく影響されることはなく、風速に比例して増加していくものであるので、積雪１０’表面に人工的に空気４の流れを形成すれば、その流速を速くすればするほど融雪を促すことが可能となるのである。
【００１９】
尚、このように運転する場合には、空気送給ライン９の途中に空気４を昇温する為の加熱手段を備えることが好ましく、例えば、図１に二点鎖線で示す如く、低温タンク１に貯蔵されている低温液化ガスを燃料として使用している設備で生じた廃熱を廃熱回収ボイラ１１等で回収し、該廃熱回収ボイラ１１から導いた温水を前記空気送給ライン９の送気配管８の途中に巻き付けた熱交換部１２を経由させるようにして空気４を昇温すると良い。
【００２０】
従って上記形態例によれば、何れの運転方法を採用した場合においても、送風機７を駆動して各ノズル６の噴射口５から空気４を噴射するだけでタンク屋根２の積雪問題を解決することができるので、多数の作業者により人力で雪かきをする必要がなくなり、作業性の悪い高所での作業を不要として作業者の作業負担を大幅に軽減し且つ安全性を向上することができる。
【００２１】
また、水分を全く使用しないので、低温タンク１周囲の防液堤内には少量の雪解け水のみが溜まるだけで済み、しかも、凍結やつららが生じる虞れが極めて少なくなり、低温タンク１周囲の作業環境の良好な保全を図ることができる。
【００２２】
【００２３】
【００２４】
更に、送風除雪装置の運転方法によれば、タンク屋根２の上面に積雪１０’が生じた後に送風機７を駆動して各ノズル６の噴射口５から空気４を噴射することにより、積雪１０’表面に空気４の流れを形成して該空気４と積雪１０’との熱交換により融雪することができるので、降り積もってから時間が経過して塊状に固まってしまった積雪１０’に対して有効である。
【００２５】
尚、本発明の送風除雪装置及びその運転方法は、上述の形態例にのみ限定されるものではなく、ドーム型に形成された屋根を有する構造体であれば、低温タンク以外の構造体に適用しても良いこと、その他、本発明の要旨を逸脱しない範囲内において種々変更を加え得ることは勿論である。
【００２６】
【発明の効果】
上記した本発明の送風除雪装置及びその運転方法によれば、下記の如き種々の優れた効果を奏し得る。
【００２７】
（Ｉ）送風機を駆動して各ノズルの噴射口から空気を噴射するだけで屋根の積雪問題を解決することができるので、多数の作業者により人力で雪かきをする必要がなくなり、作業性の悪い高所での作業を不要として作業者の作業負担を大幅に軽減し且つ安全性を向上することができる。
【００２８】
（ＩＩ）水分を全く使用しないので、構造体周囲には少量の雪解け水のみが流出するだけで済み、しかも、凍結やつららが生じる虞れが極めて少なくなり、構造体周囲の作業環境の良好な保全を図ることができる。
【００２９】
【００３０】
【００３１】
（ＩＩＩ）タンク屋根の上面に積雪が生じた後に送風機を駆動して各ノズルの噴射口から空気を噴射し、積雪表面に空気の流れを形成して該空気と積雪との熱交換により融雪するように運転するので、降り積もってから時間が経過して塊状に固まってしまった積雪に対して有効である。
【図面の簡単な説明】
【図１】  本発明を実施する形態の一例を示す全体概略図である。
【図２】  図１のＩＩ−ＩＩ方向の矢視図である。
【図３】  図１のノズルの詳細を示す拡大側面図である。
【図４】  図３のノズルによる空気の噴射方向を示す説明図である。
【図５】  本発明の送風除雪装置の運転方法に関する説明図である。
【符号の説明】
１          低温タンク（構造体）
２          タンク屋根（屋根）
４          空気
５          噴射口
６          ノズル
７          送風機
９          空気送給ライン
１０          雪
１０’        積雪
１１          廃熱回収ボイラ（加熱手段）
１２          熱交換部（加熱手段）
【図１】
0003772446.tif 000002
【図２】
0003772446.tif 000003
【図３】
0003772446.tif 000004
【図４】
0003772446.tif 000005
【図５】
0003772446.tif 000006